(57)【要約】【課題】保守点検時に使用するエレベータ保守用品を容易にかつ安全に取り出すことができ、しかも無駄なスペースをなくしたエレベータのかごを提供する。【解決手段】乗客を乗せるかご室１と、このかご室の奥壁２下部にトランク扉３１を有し該トランク扉の奥に該かご室の下部空間を拡張するように設けられたトランク３と、上記かご室の奥壁上部に開口部４を有しその外側の上記トランク３上部に設けられた物品を格納し得る収容箱５とを備えるように構成し、上記の課題を解決した。【選択図】図１
2006225049.tif 000002
【特許請求の範囲】
【請求項１】
エレベータのかご室を形成する側壁に設けられた開口部と、この開口部に対し上記かご室の外側に設けられたエレベータ保守用品を格納する収容箱と、上記開口部を塞ぐカバー部材とを備えたことを特徴とするエレベータのかご。
【請求項２】
上記かご室の奥壁下部に設けられたトランク扉と、このトランク扉の外側に該かご室の下部空間を該かご室の奥外側方向に拡張し得るように設けられたトランクとを備え、上記開口部は上記かご室の奥壁における上記トランク扉の上方部に設けられ、上記収容箱は上記トランクの上部に設けられてなることを特徴とする請求項１に記載のエレベータのかご。
【請求項３】
上記カバー部材は、上記開口部にヒンジにより開閉自在に取り付けられた開閉扉からなることを特徴とする請求項１または請求項２に記載のエレベータのかご。
【請求項４】
上記カバー部材は、上記開口部にヒンジにより開閉自在に取り付けられた開閉扉と、この開閉扉を覆う鏡によって構成してなることを特徴とする請求項１または請求項２に記載のエレベータのかご。
【請求項５】
上記開閉扉の開閉を検知するスイッチを設け、該スイッチが上記開閉扉の開放を検知するとエレベータの運転を不能にするようにしてなることを特徴とする請求項３または請求項４に記載のエレベータのかご。
【請求項６】
上記収容箱は上記開口部に対して着脱自在に設置されてなり、緊急時に上記開口部を救出口として使用するようにされてなることを特徴とする請求項１ないし請求項５の何れかに記載のエレベータのかご。
【発明の詳細な説明】
【技術分野】
【０００１】
この発明は、エレベータのかごに関し、特にかご室にエレベータ保守用品の収容箱を備え、保守点検時の安全性が向上されたエレベータのかごに関する。
【背景技術】
【０００２】
エレベータの保守点検の際に用いられるエレベータ保守用品は通常、巻上機やエレベータを制御するための制御盤などを収容するエレベータ機械室内に収容される。例えば、エレベータ機械室内に保守用品収納棚を設置し、その保守用品収納棚に各種エレベータ保守用品が収納される。保守用品の具体例としては、例えば汚れを拭くためのウエス（布）を収納したウエス缶、保守点検時に利用者に点検中であることを知らせる点検札、消耗品に対して早期に交換できるように保管している予備品、及びホウキやチリトリといった清掃用具などがある。その他、建物やエレベータ機種によって必要な各種工具類などがある。
【０００３】
一方、トランク付エレベータとして、例えばトランク前面開口部を左右に二分して設けられ、水平方向移動が可能であるとともに一方向屈曲可能な１対のシャッタ体と、当該シャッタ体をそれぞれの上下端部で摺動自在に支持する支持機構と、トランクの左右側面に設けられ、トランク開放時に移動した前記シャッタ体を収納するシャッタ体収納部と、を備えたものがある（例えば特許文献１参照。）。
【０００４】
【特許文献１】特開２００３−５４８５９号公報（第１頁、図１）
【発明の開示】
【発明が解決しようとする課題】
【０００５】
エレベータには機械室を持たないものもあり、このような場合には、ピットや乗りかご上の僅かなスペースに保守用品を配置しており、保守点検時等にエレベータ保守用品が必要なときはエレベータを停止させて、作業員が昇降路に入っている。エレベータ保守点検時において、作業員が昇降路に出て乗りかご上に乗ったり、ピットに入ったりすることは危険が伴う作業であり、保守用品をとるためだけに作業員が昇降路内に入ることは危険要因が増えるだけであるため、できるだけ避けるようにすることが望まれている。また、通常保守点検時間は時間が決まっているので、容易に保守用品を取れないと保守作業に支障をきたすことになる。また、乗りかご上に保守用品を置いておくと、保守用品が落下したり、昇降路内の周辺機器に接触して、エレベータの動作に支障を来たす虞もある。一方、特許文献１に例示したような従来のトランク付エレベータでは、トランクの上方が無駄なスペースとなっていた。
【０００６】
この発明は上記のような従来技術の現状に鑑みてなされたものであり、保守点検時に作業員が昇降路に出る必要がなく、エレベータ保守用品を容易にかつ安全に取り出すことができるようにしたエレベータのかごを提供することを目的としている。
【課題を解決するための手段】
【０００７】
この発明によるエレベータのかごは、エレベータのかご室を形成する側壁に設けられた開口部と、この開口部に対し上記かご室の外側に設けられたエレベータ保守用品を格納する収容箱と、上記開口部を塞ぐカバー部材とを備えるように構成したものである。
【発明の効果】
【０００８】
この発明においては、かご室の側壁に設けられた開口部の外側にエレベータ保守用品を格納する収容箱を設けるようにしたことにより、保守点検時に、単にエレベータ保守用品を取り出すためのみの目的で、作業員が昇降路に出たりかご室の上に乗る必要がなく、エレベータ保守用品を容易かつ安全に取り出すことができる。
【発明を実施するための最良の形態】
【０００９】
実施の形態１．
図１〜図３はこの発明の実施の形態１によるエレベータのかごを概念的に説明するもので、図１はエレベータのかごの要部を示す斜視図、図２はかご室の奥壁の外側に設けられた収容箱にエレベータ保守用品を格納した例を示す正面図、図３はトランク扉上部に設けられた開閉扉を開いた状態を示す平面断面図である。図において、エレベータのかご室１の側壁である奥壁２の下部には、該奥壁２の外側にかご室１の下部空間を拡張するように設けられたトランク３の入口を開閉するトランク扉３１が設けられ、奥壁２の上部には、開口部４と、この開口部４の後方部におけるトランク３の上部に設けられた収容箱５と、上記開口部４を覆うカバー部材６としての開閉扉６０が設けられている。なお、図１では開閉扉６０の一部を破断して収容箱５の内部が見えるように図示している。
【００１０】
上記開閉扉６０の表面材には、トランク扉３１上部の奥壁２と同一の素材が用いられ、トランク扉３１上部の奥壁２と一体的な外観をなしている。また開閉扉６０には、把手６ａが該開閉扉６０の面位置から出張らないように凹ませて取り付けられている。上記開口部４の周囲は枠状に形成された補強部材４１によって補強されており、収容箱５は、補強部材４１の周縁部に鍔状に形成された取付部４１ａに固定ネジ５１によって取り付けられている。そして収容箱５内には、例えばウエス缶７１、点検札７２、予備品７３、清掃用具７４、各種の工具７５などからなるエレベータ保守用品７が収納されている。
【００１１】
次に上記のように構成された実施の形態１の動作について説明する。エレベータの保守点検時、保守作業員は、かご室１内からトランク扉３１上部の奥壁２に設置された開閉扉６０の把手６ａを引いて、図３の矢印Ａのように回動して収容箱５を開放する。次に、作業員は収容箱５から必要なエレベータ保守用品７を取り出し、開閉扉６０を把手６ａを介して収容箱５を閉め、所要の保守点検を行なう。保守点検作業が終了した後、保守作業員は、再びかご室１内から開閉扉６０を開き、収容箱５から取り出したエレベータ保守用品７を元に格納して、開閉扉６０を閉める。
【００１２】
上記のように実施の形態１によれば、エレベータ保守用品７を格納する収容箱５をかご室１のトランク３の上部に設け、かご室１内からエレベータ保守用品７の取り出し、格納ができるようにしたので、機械室のないエレベータにおいても容易にエレベータ保守用品７を格納し、かつ取り出すことができる。また、エレベータ保守用品７を取り出す際に、昇降路に出てかご室１の上に登るなどの必要がなくなるので、危険性がなく、安全に作業することができる。
【００１３】
実施の形態２．
図４はこの発明の実施の形態２によるエレベータのかごの要部を概念的に示す斜視図である。図において、かご室１のトランク扉３１上部の奥壁２には、収容箱５の開閉扉６０の前面に、該開閉扉６０を隠すようにカバー部材６としての鏡６１が図示を省略している掛け金、ロック機構などの適宜の固定手段により着脱可能に設置されている。なお、図では収容箱５の開閉扉６０との位置関係を示すために、該鏡６１を手前に外した状態で示している。また、この実施の形態２においては、カバー部材６を開閉扉６０とこの開閉扉６０を覆う鏡６１によって構成し、通常の運転サービス時に、エレベータ利用者が奥壁２部の開閉扉６０を認識できないようにしたものである。その他の構成は上記実施の形態１と同様であるので説明を省略する。
【００１４】
次に実施の形態２の動作について説明する。保守点検作業を行なうときには、作業員はトランク扉３１上部の開口部４をカバーしている鏡６１を取り外した後、収容箱５の開閉扉６０を開けて所要のエレベータ保守用品７を取り出して保守点検作業を行なう。保守点検作業終了後は、開閉扉６０を閉めた後、鏡６１を開閉扉６０が隠れるようにトランク扉３１上部の奥壁２に取り付けなおす。なお、上記鏡６１の固定手段は特に限定されるものではないが、振動や衝撃、悪戯に対して容易に外れないようにロック機構を設けることは好ましい。また、鏡６１を取り付けたときに奥壁２に対してフラットになるように、開閉扉６０と鏡６１の取付位置を奥壁２の面位置に対して凹設することも好ましい。
【００１５】
上記のように実施の形態２によれば、トランク扉３１上部の開口部４を塞ぐカバー部材６を、開閉扉６０とその前面をカバーする鏡６１によって構成し、開閉扉６０が直接見えないようにしたので、エレベータ利用者は収容箱５および開閉扉６０の存在が分からないため、いたずらに強く、また意匠上の美観を損なわないようにすることができるという更なる効果が得られる。
【００１６】
実施の形熊３．
図５は、この発明の実施の形態３によるエレベータのかごの要部を概念的に示す斜視図である。この実施の形態３は、図に示すように、開閉扉６０に鍵８によりロック可能な施錠機構９を設けたものであり、その他の構成は上記実施の形態１と同様であるので説明を省略する。図５において、保守点検時に作業員がエレベータ保守用品７を取り出す場合には、鍵８を用いて施錠機構９を解除した後、開閉扉６０を開く。なお、保守点検終了後、エレベータ保守用品７を元に戻す時は、格納後、鍵８を用いて施錠機構９を施錠する。
【００１７】
上記のように実施の形態３によれば、収容箱５の開閉扉６０に施錠機構９を設けたため、施錠用の鍵８がないと開閉扉６０を開けることができない。このため関係者以外の者が開閉扉６０を開けようとしても施錠されているため開けることができず、開閉扉６０をいたずらされて、壊されることもなく、かつエレベータ保守用品７の盗難を防止することができる。
【００１８】
実施の形熊４．
図６はこの発明の実施の形態４によるエレベータのかごの要部を概念的に示す斜視図である。図に示すように、実施の形態４は、開閉扉６０に、該開閉扉６０の開閉を検知するリミットスイッチなどのスイッチ（スイッチ機構）１０を設け、開閉扉６０が開かれたときに、スイッチ１０の作動に連動してエレベータのかご室１の動作および操作を不能とする制御回路（図示省略）を設けたものである。その他の構成は上記実施の形態１と同様であるので説明を省略する。この実施の形態４では、開閉扉６０が閉じたときには、スイッチ１０が例えばＯＮの状態となり、これに連動してエレベータは通常の運転サービスが行なわれる。一方、開閉扉６０が開かれたときには、スイッチ１０がＯＦＦとなり、図示省略している制御回路がこれを検知してエレベータのかご室１の動作および操作が不能となる。
【００１９】
上記のように実施の形態４によれば、保守点検時に、保守作業員がエレベータ保守用品７を取り出すために開閉扉６０を開けた場合、一般の利用者がエレベータを操作しようとしても、エレベータのかご室１が動作することはない。このため、保守点検作業中にかご室１が動作することはなく、保守点検を安全に行なうことができる。
【００２０】
実施の形熊５．
図７はこの発明の実施の形態５によるエレベータのかごの要部を概念的に示す斜視図である。図において、かご室１の奥壁２下部後方に設けられたトランク３の上部空間における収容箱５側方部には、かご室１の上部に避難するときに用いられる避難用のはしご１１が取り付けられている。その他の構成は上記実施の形態１と同様であるので説明を省略する。
【００２１】
この実施の形態５においては、保守点検時には、上記実施の形態１と同様にトランク３の扉３１上部の奥壁２に設けられた開閉扉６０を開けて、収容箱５から必要なエレベータ保守用品７（図示省略）を取り出して所要の作業を行なう。一方、非常時には、固定ネジ５１を外して収容箱５を開口部４から取り外し、この開口部４を救出口として機能させる。すなわち、開口部４の救出口からトランク３上へ移動し、さらにはしご１１を使用してかご室１上へと救出または避難する。
【００２２】
上記のようにこの実施の形態５によれば、上記実施の形態１と同様の効果のほか、非常時には、収容箱５の開口部４を救出口として用いることができるので、収容箱５用の開口と救出口を別々に設ける必要がないので、構造が簡単で、安価に製造できる利点がある。なお、収容箱５は固定ネジ５１を外して手前側のかご室１内に取り出すようにしたが、これに限定されるものではなく、例えば、収容箱５を補強枠４１に図示省略しているヒンジによって奥壁２の奥方向に回動可能に取り付け、非常時は収容箱５を奥壁２の外側奥方向に回動させてトランク３上部への救出口を確保し、あるいは図の左右方向にレール（図示省略）を付設し、収容箱５をそのレール上に移動可能に乗せ、非常時は収容箱５を図の左方向に移動させてトランク３上部への救出口を確保させるなど、種々の変形や変更が可能である。
【００２３】
なお、上記各実施の形態では、奥壁２の下部にトランク扉３１とトランク３を有するエレベータについて説明したが、必ずしもトランク３をもたないエレベータでも同様の効果が期待できる。また、収容箱５は奥壁２の外側に設けたが、これに限定されず他の左右の側壁の外側に設けても差し支えない。更に、カバー部材６として、開閉扉６０を用い、あるいは開閉扉６０とこの開閉扉６０を覆う鏡６１を用いた例について説明したが、これらに限定されず、例えば鏡６１は、奥壁２などの側壁と同一素材の単なるパネル、広告、宣伝、案内などの情報を表示した媒体が貼り付けられるようにしたパネルなどであってもよい。また、開閉扉６０と鏡６１あるいは鏡６１に相当するパネル類などを一体化して構成してもよい。その他、各実施の形態の発明を２以上適宜組み合わせるなど、種々の変形や変更が可能であることは言うまでもない。
【図面の簡単な説明】
【００２４】
【図１】この発明の実施の形態１によるエレベータのかごの要部を概念的に示す斜視図である。
【図２】図１に示す収容箱にエレベータ保守用品を格納した例を示す正面図である。
【図３】図１に示す開閉扉を開いた状態を示す平面断面図である。
【図４】この発明の実施の形態２によるエレベータのかごの要部を概念的に示す斜視図である。
【図５】この発明の実施の形態３によるエレベータのかごの要部を概念的に示す斜視図である。
【図６】この発明の実施の形態４によるエレベータのかごの要部を概念的に示す斜視図である。
【図７】この発明の実施の形態５によるエレベータのかごの要部を概念的に示す斜視図である。
【符号の説明】
【００２５】
１  かご室、  ２  側壁（奥壁）、  ３  トランク、  ３１  トランク扉、  ４  開口部、  ４１  補強部材、  ４１ａ  取付部、  ４２  ヒンジ、  ５  収容箱、  ５１  固定ネジ、  ６  カバー部材、  ６ａ  把手、  ６０  開閉扉、  ６１  鏡、  ７  エレベータ保守用品、  ８  鍵、  ９  施錠機構、  １０  スイッチ、  １１  はしご。
【図１】
2006225049.tif 000003
【図２】
2006225049.tif 000004
【図３】
2006225049.tif 000005
【図４】
2006225049.tif 000006
【図５】
2006225049.tif 000007
【図６】
2006225049.tif 000008
【図７】
2006225049.tif 000009